(57)【特許請求の範囲】
【請求項１】
一方が外部スイッチ（３１０）の導通中にその外部スイッチ（３１０）を介して第１の電力回路（３２０）と連結され、他方が前記第１の電力回路（３２０）と連結される、第１のポート（２１１）及び第２のポート（２１２）と、
負荷（１００）を介して第２の電力回路（３３０）と連結される第３のポート（２１３）と、
前記第２のポート（２１２）に連結されている第１のスイッチモジュール（２６０）と、前記第１のポート（２１１）と前記第３のポート（２１３）と前記第１のスイッチモジュール（２６０）とに連結されている第２のスイッチモジュール（２７０）と、を含むスイッチユニットと、
切り替え作動を指し示すワイヤレス制御信号を受信し、前記ワイヤレス制御信号の受信に従って切り替え信号を出力するように構成されたワイヤレスモジュール（２３０）と、
前記切り替え信号を受信するように前記ワイヤレスモジュール（２３０）に連結されていると共に、前記第２のスイッチモジュール（２７０）の切り替え作動を制御するように少なくとも前記第２のスイッチモジュール（２７０）に連結されていて、且つ、前記外部スイッチ（３１０）の状態を検出できるように構成された制御ユニット（２４０）と、を具えるリモートスイッチ装置（２００）であって、
当該リモートスイッチ装置（２００）が第１の作動状態にあるときに、前記制御ユニット（２４０）は、前記切り替え信号の受信と前記外部スイッチ（３１０）の切り替わりの検出とのいずれか一方に応じて、前記スイッチユニットを導通状態及び非導通状態のいずれか一方から導通状態及び非導通状態のいずれか他方に切り替えるように制御し、
前記導通状態において、前記スイッチユニットは前記第１及び第２の電力回路（３２０、３３０）との間での前記第１及び第２のスイッチモジュール（２６０、２７０）と前記負荷（１００）とを介した電力伝送が可能になるように前記制御ユニット（２４０）によって制御され、
前記非導通状態において、前記スイッチユニットは前記第１及び第２の電力回路（３２０、３３０）との間での前記第１及び第２のスイッチモジュール（２６０、２７０）と前記負荷（１００）とを介した電力伝送が不可となるように前記制御ユニット（２４０）によって制御される、リモートスイッチ装置（２００）。
【請求項２】
前記制御ユニットは更に前記第１のスイッチモジュール（２６０）の切り替え作動を制御するように前記第１のスイッチモジュール（２６０）に連結されていて、
前記第１のスイッチモジュール（２６０）は、前記第２のポート（２１２）に連結されている第１の端子（２６１）と、第２の端子（２６２）とを有し、
前記第２のスイッチモジュール（２７０）は、前記第１のポート（２１１）に連結されている第１の端子（２７１）と、前記第３のポート（２１３）に連結されている第２の端子（２７２）と、前記第１のスイッチモジュール（２６０）の前記第２の端子（２６２）に連結されている第３の端子（２７３）とを有する、請求項１に記載のリモートスイッチ装置（２００）。
【請求項３】
前記第１のスイッチモジュール（２６０）はその前記第１及び第２の端子（２６１、２６２）間の電気的接続を構成したり切断したりするように前記制御ユニット（２４０）によって制御され、前記第２のスイッチモジュール（２７０）はその前記第２の端子（２７２）をその前記第１及び第３の端子（２７１、２７３）のいずれか一方に電気的に接続するように前記制御ユニット（２４０）に制御される、請求項２に記載のリモートスイッチ装置（２００）。
【請求項４】
前記第１のポート（２１１）は前記外部スイッチ（３１０）を介して前記第１の電力回路（３２０）に連結され、前記第２のポート（２１２）は前記第１の電力回路（３２０）に連結され、
当該リモートスイッチ装置（２００）が前記第１の作動状態にあるとき、前記制御ユニット（２４０）は、前記外部スイッチ（３１０）の導通の検出に応じて前記第１のスイッチモジュール（２６０）をその前記第１及び第２の端子（２６１、２６２）間の電気的接続を切断するように制御し、前記外部スイッチ（３１０）の非導通の検出に応じて前記第１のスイッチモジュール（２６０）をその前記第１及び第２の端子（２６１、２６２）間の電気的接続を構成するように制御し、前記切り替え信号の受信に応じて前記第２のスイッチモジュール（２７０）をその前記第２の端子（２７２）がその前記第１と第３の端子（２７１、２７３）のいずれか他方に電気的に接続されるように制御し、
当該リモートスイッチ装置（２００）が第２の作動状態にあるときに、前記第２のスイッチモジュール（２７０）はその前記第２の端子（２７２）をその前記第１の端子（２７１）に常に接続する、請求項３に記載のリモートスイッチ装置（２００）。
【請求項５】
前記第１のポート（２１１）は前記第１の電力回路（３２０）に連結され、前記第２のポート（２１２）は前記外部スイッチ（３１０）を介して前記第１の電力回路（３２０）に連結され、
当該リモートスイッチ装置（２００）が前記第１の作動状態にあるときに、前記制御ユニット（２４０）は、前記切り替え信号の受信と前記外部スイッチ（３１０）の切り替わりの検出とのいずれか一方に応じて、前記第１のスイッチモジュール（２６０）をその前記第１及び第２の端子（２６１、２６２）間の電気的接続を切断するように制御すると共に、前記第２のスイッチモジュール（２７０）をその前記第２の端子（２７２）がその前記第１及び第３の端子（２７１、２７３）のいずれか他方に電気的に接続されるように制御し、
当該リモートスイッチ装置（２００）が第２の作動状態にあるときに、前記第１のスイッチモジュール（２６０）はその前記第１及び第２の端子（２６１、２６２）間の電気的接続を常に構成し、前記第２のスイッチモジュール（２７０）はその前記第２の端子（２７２）をその前記第３の端子（２７３）に常に電気的に接続する、請求項３に記載のリモートスイッチ装置（２００）。
【請求項６】
前記制御ユニットは更に前記第１のスイッチモジュール（２６０）の切り替え作動を制御するように前記第１のスイッチモジュール（２６０）に連結されていて、
前記第１のスイッチモジュール（２６０）は、前記第２のポート（２１２）に連結されている第１の端子（２６１）と、第２の端子（２６２）とを有し、
前記第２のスイッチモジュール（２７０）は、前記第１のポート（２１１）に連結されている第１の端子（２７１）と、前記第３のポート（２１３）及び前記第１のスイッチモジュール（２６０）の前記第２の端子（２６２）に連結されている第２の端子（２７２）とを有する、請求項１に記載のリモートスイッチ装置（２００）。
【請求項７】
前記第１のポート（２１１）は前記外部スイッチ（３１０）を介して前記第１の電力回路（３２０）に連結され、前記第２のポート（２１２）は前記第１の電力回路（３２０）に連結され、
当該リモートスイッチ装置（２００）が前記第１の作動状態にあるときに、前記制御ユニット（２４０）は、前記切り替え信号の受信と前記外部スイッチ（３１０）の切り替わりの検出とのいずれか一方に応じて、前記第２のスイッチモジュール（２７０）をその前記第１及び第２の端子（２７１、２７２）間の電気的接続が切断されるように制御すると共に、前記第１のスイッチモジュール（２６０）をその前記第１及び第２の端子（２６１、２６２）間の電気的接続状態が変化するように制御し、
当該リモートスイッチ装置（２００）が第２の作動状態にあるときに、前記第２のスイッチモジュール（２７０）はその前記第１及び第２の端子（２７１、２７２）間の電気的接続を常に構成し、前記第１のスイッチモジュール（２６０）はその前記第１及び第２の端子（２６１、２６２）間の電気的接続を常に切断する、請求項６に記載のリモートスイッチ装置（２００）。
【請求項８】
前記スイッチユニットは、前記制御ユニット（２４０）が前記第１及び第２のスイッチモジュール（２６０、２７０）の切り替え作動を制御しない第２の作動状態に当該リモートスイッチ装置（２００）があるときに、前記外部スイッチ（３１０）から受けた電力が前記スイッチユニットを通して伝送されることが常に可能になるように構成されている、請求項１に記載のリモートスイッチ装置（２００）。
【請求項９】
前記第１のポート（２１１）は前記第１の電力回路（３２０）に連結され、前記第２のポート（２１２）は前記外部スイッチ（３１０）の導通中に前記外部スイッチ（３１０）を介して前記第１の電力回路（３２０）に接続され、
前記第１のスイッチモジュールは手動式スイッチモジュール（２６０）であって、前記第２のポート（２１２）に連結されている第１の端子（２６１）と、第２の端子（２６２）とを有し、
前記第２のスイッチモジュール（２７０）は電動式スイッチモジュールであって、前記第１のポート（２１１）に連結されている第１の端子（２７１）と、前記第３のポート（２１３）に連結されている第２の端子（２７２）と、前記第１のスイッチモジュール（２６０）の前記第２の端子（２６２）に連結されている第３の端子（２７３）とを有し、
前記第１のスイッチモジュール（２６０）がその前記第１及び第２の端子（２６１、２６２）間の電気的接続を切断すると共に前記制御ユニット（２４０）が前記第２のスイッチモジュール（２７０）の切り替え作動を制御する前記第１の作動状態に当該リモートスイッチ装置（２００）があるときに、前記制御ユニット（２４０）は、前記切り替え信号の受信と前記外部スイッチ（３１０）の切り替わりの検出とのいずれか一方に応じて、前記第２のスイッチモジュール（２７０）を前記導通状態及び前記非導通状態のいずれか一方から前記導通状態及び前記非導通状態のいずれか他方に切り替えるように制御し、
前記導通状態において、前記第２のスイッチモジュール（２７０）はその前記第２の端子（２７２）をその前記第１の端子（２７１）に接続するように前記制御ユニット（２４０）によって制御され、
前記非導通状態において、前記第２のスイッチモジュール（２７０）はその前記第２の端子（２７２）をその前記第３の端子（２７３）に接続するように前記制御ユニット（２４０）によって制御され、
前記第１のスイッチモジュール（２６０）がその前記第１及び第２の端子（２６１、２６２）間の電気的接続を構成する第２の作動状態に当該リモートスイッチ装置（２００）があるときに、前記第２のスイッチモジュール（２７０）はその前記第２の端子（２７２）をその前記第３の端子（２７３）に常に接続させる、請求項１に記載のリモートスイッチ装置（２００）。
【請求項１０】
前記外部スイッチ（３１０）を更に具える、請求項１に記載のリモートスイッチ装置（２００）。
【請求項１１】
外部スイッチ（３１０）と、前記外部スイッチ（３１０）に連結されている第１の電力回路（３２０）と、第２の電力回路（３３０）とを含む電力ユニットに取り外し可能に連結できるように構成されたリモートコントロール電気装置であって、
請求項１に記載の前記リモートスイッチ装置（２００）として構成されているリモートスイッチ装置部（２００）と、
前記第２の電力回路（３３０）に連結される第１の端子と、前記リモートスイッチ装置部（２００）の前記第３のポート（２１３）に連結される第２の端子とを有し、請求項１に記載の前記負荷となる電気装置部（１００）とを具える、リモートコントロール電気装置。
【発明の詳細な説明】
【技術分野】
【０００１】
（関連する出願の相互参照）
本出願は、２０１６年１月２０日に出願された台湾特許出願第１０５２００８３４号、２０１６年３月１８日に出願された台湾特許出願第１０５２０３８２２号、並びに２０１６年１０月２５日に出願された台湾特許出願第１０５１３４４０３号の優先権を主張するものである。
本発明はスイッチ装置に関し、より具体的にはリモートスイッチ装置に関する。
【背景技術】
【０００２】
従来、リモコン機能を持たない電気装置では、電気装置の電源をオン／オフにするために使用者が電気装置やそのスイッチに近づく必要があり不便であった。台湾登録実用新案第Ｍ５１８４４２号には、コンセントに差し込まれるアダプタ装置が開示されており、それによりアダプタ装置に接続された電気装置のリモートコントロールを実現する。
【０００３】
しかしながら、例えば照明器具や天井ファンなど、電線が通常は天井や壁に隠されていて壁に配置された手動式スイッチにより電源のオンオフが切り替えられる電気装置に対しては、上記従来のリモートスイッチ装置は適さない。このようなタイプの電気装置に従来のリモートスイッチ装置を応用してリモートコントロールを実現するためには、上述の手動式スイッチをリモートスイッチ装置に交換する必要があるが、そうするとリモートスイッチ装置でしか電気装置をオンオフすることができなくなり、リモートスイッチ装置が故障した際に使用者は電気装置を制御できなくなってしまう。
【先行技術文献】
【特許文献】
【０００４】
【特許文献１】台湾登録実用新案第Ｍ５１８４４２号明細書
【発明の概要】
【発明が解決しようとする課題】
【０００５】
そこで、本発明の目的は、上記従来技術の欠点を少なくとも１つ解決できるリモートスイッチ装置及びリモートコントロール電気装置を提供することにある。
【課題を解決するための手段】
【０００６】
本発明によれば、リモートスイッチ装置は、第１のポート、第２のポート、第３のポート、スイッチユニット、ワイヤレスモジュール、及び、制御ユニットを具える。第１及び第２のポートは、一方が外部スイッチの導通中にその外部スイッチを介して第１の電力回路と連結され、他方が前記第１の電力回路と連結される。第３のポートは、負荷を介して第２の電力回路と連結される。前記スイッチユニットは、第１のスイッチモジュールと第２のスイッチモジュールを含む。前記第１のスイッチモジュールは前記第２のポートに連結されている。前記第２のスイッチモジュールは、前記第１のポートと前記第３のポートと前記第１のスイッチモジュールとに連結されている。前記ワイヤレスモジュールは、切り替え作動を指し示すワイヤレス制御信号を受信し、前記ワイヤレス制御信号の受信に従って切り替え信号を出力するように構成されている。前記制御ユニットは、前記切り替え信号を受信するように前記ワイヤレスモジュールに連結されていると共に、前記第２のスイッチモジュールの切り替え作動を制御するように少なくとも前記第２のスイッチモジュールに連結されていて、且つ、前記外部スイッチの状態を検出できるように構成されている。当該リモートスイッチ装置が第１の作動状態にあるときに、前記制御ユニットは、前記切り替え信号の受信と前記外部スイッチの切り替わりの検出とのいずれか一方に応じて、前記スイッチユニットを導通状態及び非導通状態のいずれか一方から導通状態及び非導通状態のいずれか他方に切り替える。前記導通状態において、前記スイッチユニットは前記第１及び第２の電力回路との間での前記第１及び第２のスイッチモジュールと前記負荷とを介した電力伝送が可能になるように前記制御ユニットによって制御される。前記非導通状態において、前記スイッチユニットは前記第１及び第２の電力回路との間での電力伝送が不可となるように前記制御ユニットによって制御される。
【０００７】
また、本発明によれば、リモートコントロール電気装置は、外部スイッチと、前記外部スイッチに連結されている第１の電力回路と、第２の電力回路とを含む電力ユニットに取り外し可能に連結できるように構成されたものである。前記リモートコントロール電気装置は、リモートスイッチ装置部と電気装置部とを含む。前記リモートスイッチ装置部は、本発明に係る前記リモートスイッチ装置として構成されている。前記電気装置部は、前記第２の電力回路に連結される第１の端子と、前記リモートスイッチ装置部の前記第３のポートに連結される第２の端子とを有し、本発明に係る前記リモートスイッチ装置における前記負荷となる。
【０００８】
本発明の他の特徴および利点は、添付の図面を参照する以下の実施形態の詳細な説明において明白になるであろう。
【図面の簡単な説明】
【０００９】
【図１】本発明に係るリモートコントロール電気装置の第１の実施形態が異常状態で作動している態様を示す回路ブロック図である。
【図２】本発明に係るリモートコントロール電気装置の第２の実施形態が異常状態で作動している態様を示す回路ブロック図である。。
【図３】本発明に係るリモートコントロール電気装置の第３の実施形態が異常状態で作動している態様を示す回路ブロック図である。
【図４】第２の実施形態の変化例を示す回路ブロック図である。
【図５】上記第１の実施形態の作動を示す図である。
【図６】上記第２の実施形態の作動を示す図である。
【図７】上記第３の実施形態の作動を示す図である。
【図８】図４に示された変化例の更なる変更例を示す回路ブロック図である。
【発明を実施するための形態】
【００１０】
本発明をより詳細に説明する前に、適切と考えられる場合において、符号又は符号の末端部は、同様の特性を有し得る対応の又は類似の要素を示すために各図面間で繰り返し用いられることに留意されたい。
【００１１】
図１を参照されたい。本発明に係るリモートコントロール電気装置は第１の実施形態において、電力ユニット３００に取り外し可能に連結されており、ワイヤレス制御信号を送信できるリモートコントロール装置４００により制御されることができる。電力ユニット３００は、外部スイッチ３１０と、外部スイッチ３１０に連結されている第１の電力回路３２０と、第１の電力回路３２０と協働して電力を提供できる第２の電力回路３３０とを含む。なお、リモートコントロール電気装置は、商品として市販される際に外部スイッチ３１０を含んでいてもよい。
【００１２】
本実施形態において、電力ユニット３００は電気の幹線に一般に用いられる単相３線式である。電力ユニット３００が１１０Ｖの電圧を提供する場合、第１及び第２の電力回路３２０、３３０はそれぞれライン線回路と中性線回路であり、また、電力ユニット３００が２２０Ｖの電圧を提供する場合、第１及び第２の電力回路３２０、３３０はそれぞれ異なるライン線であり、これにより第１及び第２の電力回路３２０、３３０に接続することで電力が得られる。他の実施形態において、電力ユニット３００は３相３線や３相４線式でもよく、本実施形態に限定されない。外部スイッチ３１０としては、例えば照明器具や天井ファンなどの電気装置のオンオフを手動で切り替えるために通常は壁に設置されている単極単投（ＳＰＳＴ）スイッチや、エアコンなどの電気装置に設置されるリモートコントロール可能スイッチを用いることができる。なお、本発明は外部スイッチ３１０の種類に限定されない。
【００１３】
リモートコントロール電気装置は、リモートスイッチ装置２００の一部と、第２の電力回路３３０に連結されていて、リモートスイッチ装置２００の負荷１００となる電気装置の一部とを含む。
【００１４】
本実施形態において、負荷１００は、これに限定されないが、照明器具や扇風機またはその他の種類の電気装置である。負荷１００は、外部スイッチ３１０を介してのみ第１及び第２の電力回路３２０、３３０の間に連結されていたものであってもよく、この場合は使用者が外部スイッチ３１０を操作することにより電気装置のオンオフを切り替えることができる。リモートスイッチ装置２００は、もともと第１の電力回路３２０に接続されていた負荷１００の第１の端子をリモートスイッチ装置２００に接続することにより追加的に設けることができる。
【００１５】
リモートスイッチ装置２００は、第１のポート２１１と、第２のポート２１２と、第３のポート２１３と、ワイヤレスモジュール２３０と、制御ユニット２４０と、電力モジュール２５０と、スイッチユニットとを具え、スイッチユニットは第１のスイッチモジュール２６０と第２のスイッチモジュール２７０を含む。
【００１６】
第１のポート２１１は、外部スイッチ３１０が導通している間外部スイッチ３１０を介して第１の電力回路３２０の第１の電力端子３２１に連結される。第２のポート２１２は第１の電力回路３２０の第２の電力端子３２２に直接連結される。第３のポート２１３は、負荷１００の第２の端子に接続されることにより負荷１００を介して第２の電力回路３３０に連結される。なお、負荷１００は、第２の電力回路３３０に直接接続により又はリモートスイッチ装置２００の電力モジュール２５０を介した間接接続により連結されてもよい。第１及び第２の電力端子３２１、３２２は互いに連結されるか（即ち実質的に同じ端子となる）又は第１の電力回路３２０における異なる回路ノードに連結されてもよく、本発明はこれらに限定されない。従って、電力ユニット３００によって提供される電力を伝送するためのリモートスイッチ装置２００の第１の経路及び第２の経路は、第１の電力回路３２０から第１のポート２１１を介して第３のポート２１３に、そして第１の電力回路３２０から第２のポート２１２を介して第３のポート２１３にとそれぞれ形成される。
【００１７】
本実施形態においては、第１及び第２のスイッチモジュール２６０、２７０として電磁継電器を用いているが、本発明はこれに限定されない。他の実施形態において、第１及び第２のスイッチモジュール２６０、２７０として、ソリッドステートリレー（ＳＳＲ）、トランジスタ、金属酸化膜半導体電界効果トランジスタ（ＭＯＳＦＥＴ）、集積回路等を用いてもよい。第１及び第２のスイッチモジュール２６０、２７０はそれぞれ第１の端子２６１、２７１と、第２の端子２６２、２７２と、第３の端子２６３、２７３と、ドライバ２６４、２７４とを有する。なお、図示における「ＮＯ」、「ＣＯＭ」、「ＮＣ」との用語は、それぞれ電磁継電器において一般に用いられる「ノーマリーオープン端子」、「コモン端子」、「ノーマリークローズ端子」を指し示す。
【００１８】
従って、本実施形態において、端子２６１は第２のポート２１２に連結されたノーマリーオープン端子であり、端子２６２は端子２７３に連結されたコモン端子であり、端子２６３はフローティング状態のノーマリークローズ端子であり、端子２７１は第１のポート２１１に連結されたノーマリークローズ端子であり、端子２７２は第３のポート２１３に連結されたコモン端子であり、そして端子２７３はノーマリーオープン端子である。ドライバ２６４、２７４は、制御ユニット２４０により、対応のコモン端子とノーマリーオープン端子とが互いに接続される磁化状態と、対応のコモン端子とノーマリークローズ端子とが互いに接続される消磁状態との間で切り替わるように個別に制御される。
【００１９】
ワイヤレスモジュール２３０は、リモートコントロール装置４００から送信される切り替え作動を指し示すワイヤレス制御信号を受信し、このワイヤレス制御信号に応じて切り替え信号を出力する。なお、リモートコントロール装置４００は、例として、スマートフォン、タブレットコンピューター等それらにインストールされたアプリケーション及びワイヤレス送信器（図示せず）を介してワイヤレス制御信号を送信する装置や、リモートスイッチ装置２００のためのリモートコントローラであるが、本発明はこれらに限定されない。更に、ワイヤレス制御信号は、例として、ブルートゥース(登録商標)信号、赤外線信号、ＷｉＦｉ等である。
【００２０】
制御ユニット２４０は、検出モジュール２４１と処理モジュール２４２を含む。検出モジュール２４１は、外部スイッチ３１０の第１の電力回路３２０とは反対の端子における電気信号（例えば電圧や電流）を検出して、該検出の結果を基に外部スイッチ３１０の状態に関連する検出信号を生成するように構成されている。処理モジュール２４２は、検出モジュール２４１とワイヤレスモジュール２３０とに連結されていて検出信号と切り替え信号をそれぞれ受信し、また、第１及び第２のスイッチモジュール２６０、２７０に連結されていてそれらの切り替え作動を制御する。通常状態（第１の作動状態）では、処理モジュール２４２は、切り替え信号の受信及び外部スイッチ３１０の切り替わりの検出のいずれか一方に応じて、第１及び第２のスイッチモジュール２６０、２７０が導通状態及び非導通状態のいずれか一方から導通状態及び非導通状態のいずれか他方に切り替わって第１及び第２の経路のいずれかが導通するか、第１及び第２の経路の両方が非導通となるようにドライバ２６４、２７４を制御する。導通状態においては、第１及び第２のスイッチモジュール２６０、２７０が第１及び第２の経路のいずれか一方の電気的接続を確立することで、第１及び第２のスイッチモジュール２６０、２７０並びに負荷１００を介した第１及び第２の電力回路３２０、３３０間の電力伝送が可能となる。また、非導通状態においては、第１及び第２のスイッチモジュール２６０、２７０が第１及び第２の経路両方の電気的接続を切断することで、第１及び第２のスイッチモジュール２６０、２７０を介した第１及び第２の電力回路３２０、３３０間の電力伝送が不可となる。
【００２１】
電力モジュール２５０は、第１及び第２の電力回路３２０、３３０の間に連結されていて、電力ユニット３００により提供された電力をワイヤレスモジュール２３０及び制御ユニット２４０に使用される電力に変換する。本実施形態において、電力モジュール２５０は交流（ＡＣ）電力をワイヤレスモジュール２３０及び制御ユニット２４０に供するため直流（ＤＣ）電力に変換する。ワイヤレスモジュール２３０及び制御ユニット２４０がＡＣ電力をそのまま使用できる場合、電力モジュール２５０は省かれてもよい。
【００２２】
図５を参照されたい。図５の（ａ）及び（ｂ）はそれぞれリモートコントロール電気装置の作動を示すタイミングチャートであるが、第２のスイッチモジュール２７０の初期状態が異なっている。図５の（ａ）では、第２のスイッチモジュール２７０は初期において消磁状態にあり、よって負荷１００がオフ状態になる。そして、図５の（ｂ）では、第２のスイッチモジュール２７０は初期において磁化状態にあり、よって負荷１００がオフ状態になる。実際には、使用者は必要によっていずれかの初期状態を選ぶことができる。図５に示されているように、外部スイッチ３１０の状態に対応する検出信号と、リモートコントロール装置４００を介した使用者制御に対応するワイヤレス制御信号とのいずれかが変化すると、処理モジュール２４２はドライバ２６４、２７４の切り替え作動を制御して第１及び第２の電力回路３２０、３３０の間の接続状態をオンからオフに又はオフからオンにと変化させる。
【００２３】
図５の（ａ）に示されているように、初めは（即ちタイム（ｔ０）においては）、外部スイッチ３１０がオフ（オープン）であり、よって検出信号がローになり、ドライバ２６４が磁化状態で作動し、ワイヤレス制御信号がローであり、よってドライバ２７４は消磁状態で作動する。従って、端子２６２（ＣＯＭ）が端子２６１（ＮＯ）と連結され、端子２７２（ＣＯＭ）が端子２７１（ＮＣ）と連結され、第１及び第２の経路両方の電気的接続が切られ、負荷１００はこれにより作動しない。ワイヤレス制御信号がハイに切り替えられるタイム（ｔ１）では、処理モジュール２４２は切り替え信号によってワイヤレス制御信号の切り替わりを検出し、ドライバ２７４を磁化状態で作動するように制御し、よって端子２７２（ＣＯＭ）が端子２７３（ＮＯ）と連結されて、第２の経路の電気的接続が成され、負荷１００はこれにより作動するようになる。外部スイッチ３１０がオン（クローズ）に切り替えられるタイム（ｔ２）では、処理モジュール２４２は検出信号によって外部スイッチ３１０の切り替わりを検出し、ドライバ２６４を消磁状態で作動するように制御し、よって端子２６２（ＣＯＭ）が端子２６３（ＮＣ）と連結されて、第２の経路の電気的接続が切られ、負荷１００はこれにより作動しない。ワイヤレス制御信号がローに切り替えられるタイム（ｔ３）では、処理モジュール２４２は切り替え信号によってワイヤレス制御信号の切り替わりを検出し、ドライバ２７４を消磁状態で作動するように制御し、よって端子２７２（ＣＯＭ）が端子２７１（ＮＣ）と連結されて、第１の経路の電気的接続が成され、負荷１００はこれにより作動するようになる。外部スイッチ３１０がオフに切り替えられるタイム（ｔ４）では、第１の経路の電気的接続が切られ、負荷１００はこれにより作動せず、処理モジュール２４２が検出信号によって外部スイッチ３１０の切り替わりを検出し、ドライバ２６４を磁化状態で作動するように制御し、よって端子２６２（ＣＯＭ）が端子２６１（ＮＯ）と連結される。
【００２４】
図５の（ｂ）に示されている作動は（ａ）に示されているものと同様なので以下の説明においては簡潔を期すため詳細を省く。即ち、ワイヤレス制御信号の切り替わり及び外部スイッチ３１０の切り替わりのいずれかが起きると、処理モジュール２４２は第１及び第２のスイッチモジュール２６０、２７０を制御して導通状態及び非導通状態のいずれか一方から導通状態及び非導通状態のいずれか他方に切り替える。
【００２５】
なお、図５はリモートスイッチ装置２００の通常状態での作動を示すものである。リモートスイッチ装置２００が例えば制御ユニット２４０が不具合を起こしドライバ２６４、２７４を制御できない（例えばドライバ２６４、２７４に電力を供給できない）異常状態（第２の作動状態）にある時には、ドライバ２６４、２７４の両方が消磁状態にあり、従って端子２６２（ＣＯＭ）が常に端子２６３（ＮＣ）と連結され、端子２７２（ＣＯＭ）が常に端子２７１（ＮＣ）と連結され、そして第１の経路の電気的接続が依然外部スイッチ３１０によって制御され得る。言い換えると、使用者は負荷１００のオン／オフを外部スイッチ３１０を操作することで依然として制御することができる。
【００２６】
第１の実施形態は同様の作動で同様の効果を得られるように変化を加えることも可能である。変化の一例では、第１のスイッチモジュール２６０のコモン端子（ＣＯＭ）及びノーマリーオープン端子（ＮＯ）がそれぞれ端子２６１、２６２として用いられる。変化の一例では、第１のスイッチモジュール２６０のコモン端子（ＣＯＭ）及びノーマリークローズ端子（ＮＣ）がそれぞれ端子２６１、２６２として用いられる。変化の一例では、第１のスイッチモジュール２６０のノーマリークローズ端子（ＮＣ）及びコモン端子（ＣＯＭ）がそれぞれ端子２６１、２６２として用いられる。
【００２７】
図２には、本発明に係るリモートスイッチ装置２００の第２の実施形態が示されており、第１の実施形態と異なる点は、第２の実施形態においては、第１のポート２１１が第１の電力回路３２０と直接連結され、第２のポート２１２が外部スイッチ３１０を介して第１の電力回路３２０と連結され、端子２６１、２６３がそれぞれ第１のスイッチモジュール２６０のノーマリークローズ端子及び ノーマリーオープン端子であり、端子２７１、２７３がそれぞれ第２のスイッチモジュール２７０のノーマリーオープン端子及びノーマリークローズ端子である点である。
【００２８】
第２の実施形態も同様の作動で同様の効果を得られるように変化を加えることが可能である。変化の一例では、第１のスイッチモジュール２６０のコモン端子（ＣＯＭ）及びノーマリークローズ端子（ＮＣ）がそれぞれ端子２６１、２６２として用いられる。
【００２９】
図６に示されているように、リモートスイッチ装置２００が通常状態で作動している時には、制御ユニット２４０はドライバ２６４を常に磁化状態で作動するように制御することにより、第１のスイッチモジュール２６０においてコモン端子がノーマリークローズ端子と連結されず、第２の経路の電気的接続が常に切断された状態となる。外部スイッチ３１０の切り替わり及びワイヤレス制御信号の切り替わりのいずれかが起きると、ドライバ２７４は制御ユニット２４０により制御されて磁化状態及び消磁状態のいずれか一方から磁化状態及び消磁状態のいずれか他方に切り替わり、これによって端子２７２（ＣＯＭ）の接続を端子２７１、２７３（ＮＯ、ＮＣ）のいずれか一方から端子２７１、２７３（ＮＯ、ＮＣ）のいずれか他方に変更し、第１及び第２の電力回路３２０、３３０の間の電気的接続を構成したり切断したりする。リモートスイッチ装置２００が異常状態にある時には、ドライバ２６４、２７４の両方が消磁状態にあり、よって端子２７２（ＣＯＭ）は端子２７１（ＮＯ）と連結されず、第１の経路の電気的接続が切断され、第１のスイッチモジュール２６０においてコモン端子がノーマリークローズ端子と連結される（即ち、端子２６１、２６２が互いに連結される）。従って、第２の経路の電気的接続は依然として外部スイッチ３１０によって制御されることができる。言い換えれば、使用者が負荷１００のオン／オフの制御を外部スイッチ３１０を操作することによって行う事が依然可能となる。
【００３０】
図３には、本発明に係るリモートスイッチ装置２００の第３の実施形態が示されており、第１の実施形態と異なる点は、第３の実施形態においては、端子２６２が端子２７２と連結されている一方、端子２６３、２７３がフローティング状態である点にある。第３の実施形態の作動としては図７を参照されたい。
【００３１】
図７に示されているように、リモートスイッチ装置２００が通常状態で作動している時には、制御ユニット２４０はドライバ２７４を常に磁化状態で作動するように制御することにより、第２のスイッチモジュール２７０において端子２７２（ＣＯＭ）が端子２７１（ＮＣ）と連結されず、第１の経路の電気的接続が常に切断された状態となる。外部スイッチ３１０の切り替わり及びワイヤレス制御信号の切り替わりのいずれかが起きると、ドライバ２６４は制御ユニット２４０により制御されて磁化状態及び消磁状態のいずれか一方から磁化状態及び消磁状態のいずれか他方に切り替わり、これによって端子２６２（ＣＯＭ）の接続を端子２６１、２６３（ＮＯ、ＮＣ）のいずれか一方から端子２６１、２６３（ＮＯ、ＮＣ）のいずれか他方に変更し、第１及び第２の電力回路３２０、３３０の間の電気的接続を構成したり切断したりする。リモートスイッチ装置２００が異常状態にある時には、ドライバ２６４、２７４の両方が消磁状態にあり、よって端子２６２（ＣＯＭ）は端子２６１（ＮＯ）と連結されず、第２の経路の電気的接続が切断され、第２のスイッチモジュール２７０において端子２７２（ＣＯＭ）が端子２７１（ＮＣ）と連結される。従って、第１の経路の電気的接続は依然として外部スイッチ３１０によって制御されることができる。言い換えれば、使用者が負荷１００のオン／オフの制御を外部スイッチ３１０を操作することによって行う事が依然可能となる。
【００３２】
第１〜第３の実施形態において、第１及び第２のスイッチモジュール２６０、２７０はいずれも電動式スイッチを用いて具現される。しかしながら、第１のスイッチモジュール２６０は手動式スイッチを用いて具現されてもよい。図４は第２の実施形態の変化例を示しており、当該変化例においては第１のスイッチモジュール２６０が手動式スイッチを用いて具現されている。なお、手動式スイッチは直接手で操作されるものに限らず、リモートコントロールできるものであってもよい。リモートスイッチ装置２００が通常状態で作動している時、第１のスイッチモジュール２６０は常にオープンのままなので、第１の経路は常に切断されている。リモートスイッチ装置２００が異常状態にある時、使用者は第１のスイッチモジュール２６０の手動式スイッチを入れることにより端子２６１、２６２を互いに繋ぐことができる。結果として、第１の経路の電気的接続は依然として外部スイッチ３１０によって制御されることができる。
【００３３】
図８には、図４に示された構成の変化例が示されており、該変化例では第２のスイッチモジュール２７０が作動電圧の低い回路部品（例えばトランジスタ）を用いて具現されている。従って、電力モジュール２５０は第１及び第２の電力回路３２０、３３０から提供される各電圧（ＶＡＣ１、ＶＡＣ２）に対してＡＣ-ＤＣ変圧及び降圧を行うように構成され、これにより第２のスイッチモジュール２７０の作動のためのＤＣ電圧（ＶＤＣ１、ＶＤＣ２）が得られる。本変化例において、リモートコントロール電気装置は、外部スイッチ３１０から受ける電圧（ＶＡＣ１）に対してＡＣ-ＤＣ変圧及び降圧を行ってＤＣ電圧（ＶＤＣ１）を得るために更にもう１つの電力モジュール２５１を具え、端子２６１は電力モジュール２５１を介して第２のポート２１２と間接的に連結され、端子２７１は電力モジュール２５０を介して第１のポート２１１と間接的に連結され、負荷１００は電力モジュール２５０を介して第２の電力回路３３０と間接的に連結される。このような構成により、本変化例は作動電圧の低い回路部品を用いながらも図７に示された構成と同様の効果を奏すことができる。なお、第１及び第２の電力回路３２０、３３０が回路部品の作動電圧に見合う低直流電圧を直接提供する場合、電力モジュール２５０、２５１を省くことができる。
【００３４】
以上まとめると、第１及び第２のスイッチモジュール２６０、２７０によって、負荷１００は、外部スイッチ３１０の切り替わり及びワイヤレス制御信号の切り替わりのいずれかが起きた場合にオン／オフが切り替えられる。更に、リモートコントロール装置２００に不具合が起きても、使用者は負荷１００のオン／オフを外部スイッチ３１０によって制御することが依然可能となる。
【００３５】
上記においては、説明のため、本発明の全体的な理解を促すべく多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものである。
【００３６】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
0006328806.tif 000002
【図２】
0006328806.tif 000003
【図３】
0006328806.tif 000004
【図４】
0006328806.tif 000005
【図５】
0006328806.tif 000006
【図６】
0006328806.tif 000007
【図７】
0006328806.tif 000008
【図８】
0006328806.tif 000009